(57)【特許請求の範囲】
【請求項１】
光源からの光を映像表示素子に照射し、前記映像表示素子からの出射光を投写レンズでスクリーン上に投写する投写型表示装置であって、
装置の筐体内であって、投写レンズを配置した側の面に近接し、且つ投写レンズ光軸方向に対し傾斜して配置した排気ファンを有し、
前記筐体内の空気を前記投写レンズの投写光から遠ざけるようにして、前記筐体外部に排気することを特徴とする投写型表示装置。
【請求項２】
前記排気ファンは、前記光源と投写レンズを配置した側の面に設けた前記筐体内の空気を筐体外に排気する排気口の間に位置することを特徴とする請求項１に記載の投射型表示装置。
【請求項３】
光源からの光を、第１の反射ミラーを介して第１のダイクロミラーに入射させ、前記第１のダイクロイックミラーにより色分離された第１の出射光を第２の反射ミラーを介し第１の液晶パネルに照射し、前記第１のダイクロイックミラーにより色分離された第２の出射光を第２のダイクロイックミラーに入射させ、前記第２のダイクロイックミラーにより色分離された第１の出射光を第２の液晶パネルに入射させ、前記第２のダイクロイックミラーにより色分離された第２の出射光を第３の反射ミラー、第４の反射ミラーを介し第３の液晶パネルに照射し、前記第１の液晶パネルからの透過光、前記第２の液晶パネルからの透過光、及び前記第３の液晶パネルからの透過光を、ダイクロイックプリズムによって色合成し、前記色合成された出射光を投写レンズによりスクリーン上に投写する投写型表示装置であって、
前記第１の反射ミラー、第１のダイクロイックミラー、第２のダイクロイックミラー、第３の反射ミラーをこの順で配置し、
かつ第１の反射ミラー、光源、排気ファンをこの順で配置し、
かつ第１の反射ミラー、光源、排気ファンの並びが、投写レンズ、ダイクロイックプリズム、第２のダイクロイックミラーの並びに対して略平行に配置し、
前記排気ファンは、装置の筐体内であって、投写レンズを配置した側の面に近接し、且つ投写レンズ光軸方向に対し傾斜して配置され、
前記筐体内の空気を前記投写レンズの投写光から遠ざけるようにして、前記筐体外部に排気することを特徴とする投写型表示装置。
【発明の詳細な説明】
【技術分野】
【０００１】
本発明は、光源からの光を液晶パネルに照射し、該液晶パネルの出射光を投写レンズでスクリーン上に投写して画像表示する液晶プロジェクタに関する。
【背景技術】
【０００２】
従来、この種の透過型液晶パネルを用いた液晶プロジェクタとしては、例えば特許文献１に記載のものがある。この従来構成では、光源（符号２１）、第１の反射ミラー（２３）、第１のダイクロイックミラー（２６）、第２の反射ミラー（３０）、第２のダイクロイックミラー（２７）、第３の反射ミラー（２８）、第４の反射ミラー（２９）、第１の透過型の液晶パネル（３３）、第２の透過型の液晶パネル（３９）、第３の透過型の液晶パネル（４５）、ダイクロイックプリズム（４９）、投写レンズ（５０）とを備え、光源からの照明光を第１の反射ミラーを介して第１のダイクロイックミラーに入射させ、第１のダイクロイックミラーにより色分離された第１の出射光を第２の反射ミラーを介し第１の液晶パネルに照射し、第１のダイクロイックミラーにより色分離された第２の出射光を第２のダイクロイックミラーに入射させ、第２のダイクロイックミラーにより色分離された第１の出射光を第２の液晶パネルに入射させ、第２のダイクロイックミラーにより色分離された第２の出射光を第３の反射ミラー、第４の反射ミラーを介して第３の液晶パネルに照射し，第１の液晶パネルからの透過光，第２の液晶パネルからの透過光、第３の液晶パネルからの透過光をダイクロイックプリズムにより色合成し、色合成された出射光を投写レンズによりスクリーン上に投写するようになっている。
【０００３】
また，特許文献２に記載のように、光源冷却用の排気ファン（１５，２７）を設けたものもある。
【０００４】
また、さらに、例えば、日本光学会（応物学会）主催の非特許文献１に開示されているように、光源にメタルハライドランプと放物面鏡を用い、ＵＶ−ＩＲカットフィルタ、第１のレンズアレイ、第２のレンズアレイを設けたものが知られている。
【０００５】
上記３件の公知例を組合わせた構成の液晶プロジェクタも実用化されている。
【０００６】
以下、図面を用いて、この従来の技術を組合わせた液晶プロジェクタにつき説明する。
【０００７】
図６は、従来の技術を組合わせた液晶プロジェクタ光学系の上面図である。光源であるメタルハライドランプ５０からの照明光５１は、放物面鏡のランプリフレクタ５２、ＵＶ−ＩＲカットフィルタ５３、第１のレンズアレイ５４、第１の反射ミラーであるコールドミラー５５、第２のレンズアレイ５６、第１のダイクロイックミラーであるＲ色光透過、Ｇ及びＢ色光反射のダイクロイックミラー５７に入射し、Ｒ色光５８が透過し、Ｇ及びＢ色光５９が反射するようになっている。Ｒ色光５８は、第２の反射ミラーである増反射アルミミラー６０で反射され、コンデンサレンズ６１、偏光板６２を介して、第１の透過型の液晶パネルであるＲ色光用液晶パネル６３に入射する。Ｇ及びＢ色光５９は、第２のダイクロイックミラーであるＧ色光反射、Ｂ色光透過のダイクロイックミラー６４に入射し、Ｇ色光６５が反射し、Ｂ色光６６が透過する。Ｇ色光６５は、コンデンサレンズ６７、偏光板６８を介して、第２の透過型の液晶パネルであるＧ色光用液晶パネル６９に入射する。
【０００８】
Ｂ色光６６は、リレーレンズ７０、第３の反射ミラーである増反射アルミミラー７１、リレーレンズ７２、第４の反射ミラーである増反射アルミミラー７３、コンデンサレンズ７４、偏光板７５を介して、第３の透過型の液晶パネルであるＢ色光用液晶パネル７６に入射する。
【０００９】
液晶パネル６３からのＲ透過光７７と、液晶パネル６９からのＧ透過光７８と、液晶パネル７６からのＢ透過光７９は、ダイクロイックプリズム８０により色合成され、色合成された出射光８１を投写レンズ８２によりスクリーン（図示せず）上に投写する。
【００１０】
高温になる光源から発生する熱が構成部品に影響しないようにするために、光源であるメタルハライドランプ５０とランプリフレクタ５２の近傍には、光源冷却用の排気ファン８３が配置されており、液晶プロジェクタの筐体（図示せず）の外に熱風８４を排気する。
【００１１】
この構成の液晶プロジェクタによれば、高温になる光源を冷却しながら、スクリーン上で明るく大画面の画像が得られる。
【００１２】
しかしながら、従来のこの構成の液晶プロジェクタにおいては、排気ファン８３により排気された熱風８４が、液晶プロジェクタの近傍に位置する観視者の方向に流れることがあり、観視者に不快感を与えてしまうという課題があった。
【００１３】
また、液晶プロジェクタは、パーソナルコンピュータ等の映像機器を近傍に置いて使用することがあるが、これらの熱に弱い機器を熱風が当たらない位置に置くなどの配慮が必要である。また、光源から発生する熱を効率良く排気するために、熱風が排気される位置には該排気を遮るような物を置かないようにする配慮も必要であり、使い勝手性の上で問題があった。
【００１４】
これに対して、例えば特許文献３公報に開示されているように、投写レンズの前筒部を配置した面と同一面に、光源の冷却用としての排気用ファンを配置し、投写方向と排気方向とを同一方向とした構成が提案されている。これによれば、排気ファンから排気された熱風が、液晶プロジェクタの近傍に位置する観視者の方向に流れることがなく、観視者に不快感を与えることもない。また、液晶プロジェクタの近傍に熱に弱い機器を配置する場合も配慮が不要で、また熱風が排気される位置に排気を遮るような物を置かないようにする配慮も不要な、使い勝手性の良い液晶プロジェクタが得られる。しかしながら、この従来技術では、投写レンズからの投写光の中に、排気ファンからの熱風が流れてスクリーンの投写画像にゆらぎが生ずることがある点についての対策等配慮がされていなかった。また、熱風をより効率良く排気させる構成についても特に配慮がなかった。また、第１のレンズアレイ及び第２のレンズアレイを含む光学系の構成についても配慮がなかった。
【００１５】
【特許文献１】特開昭６３−２１６０２６号公報
【特許文献２】特開平３−１０２１８号公報
【特許文献３】実開平５−５９４２４号
【非特許文献１】ＪＡＰＡＮ  ＯＰＴＩＣＳ  ’９４  光学連合シンポジウム浜松  ’９４（ｐ１３５−ｐ１３６）の２２Ｆａ０６「異形開口レンズアレイを用いた液晶プロジェクタ用高効率照明光学系」
【発明の開示】
【発明が解決しようとする課題】
【００１６】
本発明の目的は、排気ファンから排気される熱風が、観視者や、近傍に配される機器に悪影響を及ぼさず、スクリーンにゆらぎのない画像を表示でき、また、冷却のために装置内の空気を効率良く排気できる、高性能かつ使い勝手性の良い液晶プロジェクタを提供することにある。
【課題を解決するための手段】
【００１７】
光源からの光を映像表示素子に照射し、前記映像表示素子からの出射光を投写レンズでスクリーン上に投写する投写型表示装置であって、前記装置内の空気を外部に排気する排気ファンを有し、該排気ファンは、前記装置内の空気を前記投写レンズの投写光から遠ざけるようにして、前記投写レンズを配置した側の面から前記装置外部に排気するように構成する。
【発明の効果】
【００１８】
本発明によれば、観視者に不快感を与えず、また近傍に配置する機器の温度上昇に対する配慮も不要にできる等、使い勝手性の良い液晶プロジェクタを得ることができるとともに，排気ファンから排気した熱風によるスクリーンの投写画像のゆらぎも防止できる。また、排気効率を高めて冷却効率を高めることができる。
【発明を実施するための最良の形態】
【００１９】
以下、図面を用いて本発明の実施例を説明する。
【実施例１】
【００２０】
図１は、本発明の第１の実施例を示す図で、液晶プロジェクタ光学系の上面図である。
【００２１】
光源であるメタルハライドランプ１からの照明光２は、楕円面鏡のランプリフレクタ３を介して、第１レンズアレイ４に入射する。ここで、球面鏡のランプリフレクタ５は、メタルハライドランプ１からの従来は利用されていなかった照明光６を再度メタルハライドランプ１に戻し、光の再利用を図る目的で設けたものである。第１レンズアレイ４は、その入射面７が凹レンズ面とし、楕円面鏡のランプリフレクタ３からの収束光８を、略平行光に変換する作用を持たせることにより第１レンズアレイを小型にすることができる。
【００２２】
第１レンズアレイ４からの出射光９は、第１の反射ミラーである増反射銀ミラー１０、第２レンズアレイ１１、第１のダイクロイックミラーであるＢ色光反射、Ｇ及びＲ色光透過のダイクロイックミラー１２に入射し，Ｂ色光１３が反射し，ＧおよびＲ色光１４が透過する。Ｂ色光１３は、第２の反射ミラーである増反射アルミミラー１５で反射され、コンデンサレンズ１６、偏光板１７を介して、第１の透過型の液晶パネルであるＢ色光用液晶パネル１８に入射する。Ｇ及びＲ色光１４は、第２のダイクロイックミラーであるＧ色光反射，Ｒ色光透過のダイクロイックミラー１９に入射し，Ｇ色光２０が反射し，Ｒ色光２１が透過する。Ｇ色光２０は，コンデンサレンズ２２，偏光板２３を介して，第２の透過型の液晶パネルであるＧ色光用液晶パネル２４に入射する。Ｒ色光２１は，リレーレンズ２５，第３の反射ミラーである赤外線を透過するコールドミラー２６，リレーレンズ２７，第４の反射ミラーである増反射銀ミラー２８，コンデンサレンズ２９，偏光板３０を介して，第３の透過型の液晶パネルであるＲ色光用液晶パネル３１に入射する。
【００２３】
液晶パネル１８からのＢ透過光３２と，液晶パネル２４からのＧ透過光３３と，液晶パネル３１からのＲ透過光３４は，ダイクロイックプリズム３５により色合成され，色合成された出射光３６を投写レンズ３７によりスクリーン（図示せず）上に投写する。
【００２４】
高温になる光源から発生する熱が光源以外の構成部品に影響を及ぼさなくするために、光源であるメタルハライドランプ１，ランプリフレクタ３とランプリフレクタ５の近傍には，光源冷却用の排気ファン３８が配置されており，液晶プロジェクタの筐体の外に熱風３９を排気する。排気ファン３８を投写レンズ３７に隣りに配置し，かつ排気ファン３８の排気風３９が投写レンズ３７の投写光３６から遠ざかるように，排気ファン３８を傾斜して配置する。投写光３６の排気風３９側の投写光３６ａの角度ａ＝３０°に対して，排気ファンの傾斜角度ｂ＝１５°と設定し，投写レンズ３７からの投写光３６の中に，排気ファン３８から排気した熱風３９が流れてスクリーンへの投写画像がゆらぐのを防止できる。
【００２５】
また，排気ファン３８を投写レンズ３７に隣接して配置し，かつ排気ファン３８の排気風３９が投写レンズ３７の投写光３６から遠ざかるように，複数の風向板４０を傾斜して配置するとともに，投写レンズ３７に近い側の風向板４０ａの傾斜角度ｃを，投写レンズ３７から遠い側の風向板４０ｂの傾斜角度ｄよりも大きくしてある。例えば、傾斜角度ｃ＝３０°，傾斜角度ｄ＝１５°としてある。投写光３６の排気風３９側の投写光３６ａの角度ａ＝３０°に対し、投写レンズ３７に近い側の風向板４０ａの傾斜角度ｃ＝３０°と略等しく設定してあるので，投写レンズ３７からの投写光３６の中に，排気ファン３８から廃棄した熱風３９ａが流れてスクリーンへの投写画像がゆらぐことを緩和できる。また，送風ファン３８の傾斜角度ｂ＝１５°に対して，投写レンズ３７から遠い側の風向板４０ｂの傾斜角度ｄ＝１５°と略等しく設定したので，熱風３９の進路が風向板４０ｂにより大きく曲げられることないため，より効率よく排気されるようにできる。投写レンズ３７からの投写光３６の中に，排気ファン３８から排気した熱風３９が流れてスクリーンへの投写画像がゆらぐ問題は，投写レンズ３７側から遠い排気風３９ｂの方が，投写レンズ３７に近い排気風３９ｂよりも影響が小さいために，このように風向板４０ａの傾斜角度ｃよりも風向板４０ｂの傾斜角度ｄをより小さくする。
【００２６】
本実施例では，第１のダイクロイックミラー１２により分離された第１の出射光１３が第１のダイクロイックミラー１２の反射光，第１のダイクロイックミラー１２により分離された第２の出射光１４が第１のダイクロイックミラー１２の透過光となるように，第１の反射ミラー１０，第２のレンズアレイ１１，第１のダイクロイックミラー１２，第２のダイクロイックミラー１９，第３の反射ミラー２６をこの順に配置し，かつ第１の反射ミラー１０，第１のレンズアレイ４，光源であるメタルハライドランプ１，排気ファン３８をこの順に配置し，かつ第１の反射ミラー１０，第１のレンズアレイ４，光源であるメタルハライドランプ１，排気ファン３８の並びが，投写レンズ３７，ダイクロイックプリズム３５，第２のダイクロイックミラー１９の並びに対して略平行で，かつ隣りに配置して
ある。
【００２７】
本実施例構成の液晶プロジェクタによれば、排気ファン３８により排気された熱風３９が投写レンズ３７の出射光３６と同じ方向に流れることになる。投写レンズ３７の出射光３６の方向の近傍に観視者が位置することは，観視者自身が出射光３６を遮り，スクリーンへの画像に影を発生させることになるからあり得ない。従って、液晶プロジェクタの近傍に位置する観視者の方向に流れることがないため、該観視者に不快感を与えることがない。
【００２８】
また，同様の理由により，パーソナルコンピュータ等の映像機器を液晶プロジェクタの近傍に置いて使用しても、これら熱に弱い機器に熱風が当たることがなく、置く位置についての配慮が不要である。また，光源から発生する熱を効率良く排気するために、熱風が排気される位置には排気を遮るような物を置かないようにする配慮も不要であり、使い勝手性を向上させることができる。
【００２９】
また，本実施例では，第１のダイクロイックミラー１２は，Ｂ色光を反射し，Ｇ色光とＲ色光を透過する分光特性とし，第２のダイクロイックミラー１９は，Ｇ色光を反射し，Ｒ色光を透過する分光特性としたことにより，Ｒ色光成分に比べてＢ色光成分を相対的に増やすことができる。これは，Ｂ色光のみが、各ミラー１０，１２，１５で反射のみで利用することができ、かつＰ偏光成分に比べて反射率がより高いＳ偏光成分を利用できるためである。これにより，スクリーンに投写される白色を好ましい色温度に高める効果がある。特に、液晶プロジェクタに使用される光学部品のガラスやプラスチック材料には，Ｂ色光の光利用効率を低下させるもの（例えば偏光板や液晶パネル）があり，これらの材料の場合は、同じ色温度の光源を用いても色温度の低下は避けられなかった。しかし、本発明のかかる構成では，最大限にＢ色光成分を利用できるので，この色温度の低下を最小限に食い止めることができる。
【００３０】
なお、Ｂ色光やＧ色光に比べ、Ｒ色光では、リレーレンズ２５，２７と反射ミラー２６，２８を余分に使用することになるので，その透過率，反射率損失により，光量が低下する。
【００３１】
そこで，本実施例では，第１の反射ミラーを増反射銀ミラー１０とし，第３の反射ミラーを赤外線を透過するコールドミラー２６とし，第４の反射ミラーを増反射銀ミラー２８とする。
【００３２】
図２は，増反射銀ミラーの分光反射率特性を示すグラフである。また，図３はコールドミラーの分光透過率のグラフである。この図より，増反射銀ミラーは，コールドミラーに比べて，反射率が高いことがわかる。特に，Ｒ色光はダイクロイックミラー１２，１９の透過光を利用することになるので，Ｓ偏光成分に比べて透過率がより高いＰ偏光成分を利用すべきである。そこで，Ｐ偏光成分の反射率がより高い増反射銀ミラー１０，２８を採用することによりＲ色光の低下を最小限に食い止めることができる。なお、増反射銀ミラー１０，２８の採用に伴い、不要な赤外線と、紫外線の遮断が必要となる。そこで、本実施例では、第３の反射ミラーを赤外線を透過するコールドミラー２６としてある。これにより、偏光板３０、液晶パネル３１に有害な赤外線が照射されないようにできる。
【００３３】
また，本実施例では、第１の液晶パネル１８の入射側に配置される偏光板１７と第１のダイクロイックミラー１２との光路間に，紫外線を遮断するＵＶカットフィルタを配置してある。さらに、本実施例では、偏光板１７の入射面にもＵＶカットフィルタ１７ａを形成してある。
【００３４】
なお、本第１の実施例では、排気ファン３８の排気風３９が投写レンズ３７の投写光３６から遠ざかるように、排気ファン３８を傾斜して配置したり、複数の風向板４０を傾斜して配置するとともに、投写レンズ３７に近い側の風向板４０ａの傾斜角度ｃを、投写レンズ３７から遠い側の風向板４０ｂの傾斜角度ｄよりも大きく設定したが、これに限定されるものではない。
【実施例２】
【００３５】
図４は、本発明の第２の実施例を示す図で、液晶プロジェクタ光学系の上面図である。排気ファン３８が傾斜して配置されていない点と、風向板４０の構成については図示していない点を除いて、本発明の第１の実施例と同じ構成である。本実施例では、第２の実施例と同様に、排気ファン３８から排気された熱風３９が、液晶プロジェクタの近傍に位置する観視者の方向に流れることがなく、観視者に不快感を与えることのない、また液晶プロジェクタの近傍に配置する機器に対する配慮が不要で，また熱風が排気される位置に排気を遮るような物を置かないようにする配慮も不要である。このように、本発明によれば使い勝手の良い液晶プロジェクタを得ることができる。
【実施例３】
【００３６】
図５は、本発明の第３の実施例を示す図で、その光学系の上面図である。
【００３７】
光源のメタルハライドランプ５０からの光５１は、放物面鏡のランプリフレクタ５２，ＵＶ−ＩＲカットフィルタ５３，第１のレンズアレイ５４，第１の反射ミラーであるコールドミラー５５，第２のレンズアレイ５６，第１のダイクロイックミラーであるＲ色光反射，ＧおよびＢ色光透過のダイクロイックミラー４０に入射し，Ｒ色光５８が反射し，ＧおよびＢ色光５９が透過する。Ｒ色光５８は，第２の反射ミラーである増反射アルミミラー６０で反射され，コンデンサレンズ６１，偏光板６２を介して，第１の透過型の液晶パネルであるＲ色光用液晶パネル６３に入射する。Ｇ及びＢ色光５９は，第２のダイクロイックミラーであるＧ色光反射，Ｂ色光透過のダイクロイックミラー６４に入射し，Ｇ色光６５が反射し，Ｂ色光６６が透過する。Ｇ色光６５は，コンデンサレンズ６７，偏光板６８を介して，第２の透過型の液晶パネルであるＧ色光用液晶パネル６９に入射する。Ｂ色光６６は，リレーレンズ７０，第３の反射ミラーである増反射アルミミラー７１，リレーレンズ７２，第４の反射ミラーである増反射アルミミラー７３，コンデンサレンズ７４，偏光板７５を介して，第３の透過型の液晶パネルであるＢ色光用液晶パネル７６に入射する。
【００３８】
液晶パネル６３からのＲ透過光７７と，液晶パネル６９からのＧ透過光７８と，液晶パネル７６からのＢ透過光７９は，ダイクロイックプリズム８０により色合成され，色合成された出射光８１を投写レンズ８２によりスクリーン（図示せず）上に投写する。
【００３９】
高温の光源で発生する熱が光源以外の構成部品に影響を及ぼさないようにするために，光源のメタルハライドランプ５０とランプリフレクタ５２の近傍には、光源冷却用の排気ファン３８が配置され、液晶プロジェクタの筐体（図示せず）の外に熱風３９を排気するようになっている。
【００４０】
本実施例では、第１のダイクロイックミラー４０により分離された第１の出射光５８が第１のダイクロイックミラー４０の反射光，第１のダイクロイックミラー４０により分離された第２の出射光５９が第１のダイクロイックミラー４０の透過光となるように，第１の反射ミラー５５，第２のレンズアレイ５６，第１のダイクロイックミラー４０，第２のダイクロイックミラー６４，第３の反射ミラー７１をこの順に配置し，かつ第１の反射ミラー５５，第１のレンズアレイ５４，光源のメタルハライドランプ５０，排気ファン３８をこの順に配置し，かつ第１の反射ミラー５５，第１のレンズアレイ５４，光源のメタルハライドランプ５０，排気ファン３８の並びが、投写レンズ８２，ダイクロイックプリズム８０，第２のダイクロイックミラー６４の並びに対し略平行で、かつ隣りに配置してある。
【００４１】
本実施例によれば、排気ファン３８により排気された熱風３９が、投写レンズ８２の出射光８１と同じ方向に流れることになるので、上記第２の実施例の場合と同様の効果が得られる。
【図面の簡単な説明】
【００４２】
【図１】本発明の第１の実施例の液晶プロジェクタ光学系の上面図である。
【図２】増反射銀ミラーの分光反射率特性を示すグラフである。
【図３】コールドミラーの分光透過率のグラフである。
【図４】本発明の第２の実施例の液晶プロジェクタ光学系の上面図である。
【図５】本発明の第３の実施例の液晶プロジェクタ光学系の上面図である。
【図６】従来の液晶プロジェクタ光学系の上面図である。
【符号の説明】
【００４３】
１…メタルハライドランプ，２…照明光，３…ランプリフレクタ，４…第１のレンズアレイ，５…ランプリフレクタ，６…照明光，７…入射面，８…収束光，９…出射光，１０…増反射銀ミラー，１１…第２のレンズアレイ，１２…ダイクロイックミラー，１３…Ｂ色光，１４…ＧおよびＲ色光，１５…増反射アルミミラー，１６…コンデンサレンズ，１７…偏光板，１７ａ…ＵＶカットフィルタ，１８…Ｂ色光用液晶パネル，１９…ダイクロイックミラー，２０…Ｇ色光，２１…Ｒ色光，２２…コンデンサレンズ，２３…偏光板，２４…Ｇ色光用液晶パネル，２５…リレーレンズ，２６…コールドミラー，２７…リレーレンズ，２８…増反射銀ミラー，２９…コンデンサレンズ，３０…偏光板，３１…Ｒ色光用液晶パネル，３２…Ｂ透過光，３３…Ｇ透過光，３４…Ｒ透過光，３５…ダイクロイッ
クプリズム，３６…出射光，３６ａ…出射光，３７…投写レンズ，３８…排気ファン，３９…熱風，３９ａ…熱風，３９ｂ…熱風，４０…風向板，４０ａ…風向板，４０ｂ…風向板，ａ…角度，ｂ…角度，ｃ…角度，ｄ…角度，５０…メタルハライドランプ，５１…照明光，５２…ランプリフレクタ，５３…ＵＶ−ＩＲカットフィルタ，５４…第１のレンズアレイ，５５…コールドミラー，５６…第２のレンズアレイ，５７…ダイクロイックミラー，５８…Ｒ色光，５９…ＧおよびＢ色光，６０…増反射アルミミラー，６１…コンデンサレンズ，６２…偏光板，６３…Ｒ色光用液晶パネル，６４…ダイクロイックミラー，６５…Ｇ色光，６６…Ｂ色光，６７…コンデンサレンズ，６８…偏光板，６９…Ｇ色光用液晶パネル，７０…リレーレンズ，７１…増反射アルミミラー，７２…リレーレンズ，７３…増反射アルミミラー，７４…コンデンサレンズ，７５…偏光板，７６…Ｂ色光用液晶パネル，７７…Ｒ透過光，７８…Ｇ透過光，７９…Ｂ透過光，８０…ダイクロイックプリズム，８１…出射光，８２…投写レンズ，８３…排気ファン，８４…熱風。
【図１】
0003669370.tif 000002
【図２】
0003669370.tif 000003
【図３】
0003669370.tif 000004
【図４】
0003669370.tif 000005
【図５】
0003669370.tif 000006
【図６】
0003669370.tif 000007